(57)【要約】【課題】通信端末装置の周辺に存在する複数の外部装置のうち、適切な外部装置を通知対象として選定し、イベントが発生したことをユーザに通知することのできる通信端末装置、外部装置、通信システム及び情報通知方法を提供すること。【解決手段】メール着信や時刻アラーム等のイベント発生時に、外部装置用通信手段１７が周辺に存在する複数の外部装置の電源状態を取得し、イベント通知制御手段１５がイベント種別と、各外部装置の電源状態とに基づき、適切な外部装置をイベント通知対象として選定して通知を行うことで、ユーザにイベントが発生したことを知らせることができる。【選択図】図１
2007173920.tif 000002
【特許請求の範囲】
【請求項１】
外部装置と無線通信可能な通信端末装置であって、
所定のイベントが発生すると、前記イベントの種別を解析するイベント解析手段と、
予め設定された複数の外部装置の電源状態を取得する外部装置用通信手段と、
前記電源状態を管理する外部装置管理手段と、
前記イベントの種別と、前記電源状態とに基づいて、前記複数の外部装置の中から、前記イベントの通知を行う外部装置を選定するイベント通知制御手段と、を有し、
前記外部装置用通信手段は、前記イベント通知制御手段にて選定した前記外部装置に対して、前記イベントを送信することを特徴とする通信端末装置。
【請求項２】
前記イベント通知制御手段は、前記複数の前記外部装置の中から、前記電源状態がオンである外部装置を選定することを特徴とする請求項１記載の通信端末装置。
【請求項３】
前記イベントが発生したことを通知する出力手段を有し、
前記イベント通知制御手段は、前記外部装置で前記イベントの通知を行わない場合、前記出力手段にて前記イベントを通知することを特徴とする請求項１又は２記載の通信端末装置。
【請求項４】
通信端末装置と無線通信可能な外部装置であって、
前記通信端末装置からイベントを受信する通信端末装置用通信手段と、
自装置の動作状態を管理する状態管理手段と、
前記イベントの種別と、前記動作状態とに基づいて、通知種別を選定する出力制御手段と、
前記出力制御手段にて選定した通知種別に従い、前記イベントを通知する出力手段と、を有する外部装置。
【請求項５】
前記通知種別は、表示、鳴動、又は振動のいずれかを含み、
前記出力制御手段は、前記通知種別のいずれかを選定することを特徴とする請求項４記載の外部装置。
【請求項６】
前記出力制御手段は、前記イベントの種別と、前記動作状態とに基づき、前記出力手段で前記イベントを通知するか否かの判定を行い、
前記通信端末装置用通信手段は、前記出力制御手段にて通知しないとの判定がなされたとき、その旨を前記通信端末装置に通知することを特徴とする請求項４又は５記載の外部装置。
【請求項７】
通信端末装置と外部装置とを組み合わせて用いる通信システムであって、
前記通信端末装置は、所定のイベントが発生すると、前記イベントの種別を解析するイベント解析手段と、
予め設定された複数の外部装置の電源状態を取得する外部装置用通信手段と、
前記電源状態を管理する外部装置管理手段と、
前記イベントの種別と、前記電源状態とに基づいて、前記複数の外部装置の中から、前記イベントの通知を行う外部装置を選定するイベント通知制御手段と、を有し、
前記外部装置は、前記通信端末装置から前記イベントを受信する通信端末装置用通信手段と、
自装置の動作状態を管理する状態管理手段と、
前記イベントの種別と、前記動作状態とに基づいて、通知種別を選定する出力制御手段と、
前記出力制御手段にて選定した通知種別に従い、前記イベントを通知する出力手段と、を有する通信システム。
【請求項８】
所定のイベントが発生すると、前記イベントの種別を解析するイベント解析ステップと、
予め設定された複数の外部装置の電源状態を取得する電源状態取得ステップと、
前記イベントの種別と、前記電源状態とに基づいて、前記複数の外部装置の中から、前記イベントの通知を行う外部装置を選定する外部装置選定ステップと、
選定した外部装置に対して、前記イベントを送信するイベント送信ステップとを有する情報通知方法。
【発明の詳細な説明】
【技術分野】
【０００１】
本発明は、メール着信や時刻アラーム等のイベントが発生したことをユーザに通知することのできる通信端末装置、外部装置、通信システム及び情報通知方法に関するものである。
【背景技術】
【０００２】
従来、携帯電話機やＰＤＡ（Ｐｅｒｓｏｎａｌ  Ｄｉｇｉｔａｌ  Ａｓｓｉｓｔａｎｃｅ）等の通信端末装置には、メール着信や時刻アラーム等のイベントが発生した場合、着信音やバイブレータ等によって、そのイベントが発生したことをユーザに通知するものが広く利用されている。
【０００３】
また、ユーザは、携帯電話機やＰＤＡ等の通信端末装置を持ち運ぶときや、家に居るとき等には、身体から離れた場所（例えば、鞄の中等）に通信端末装置を保管することがある。
【０００４】
こうした場面において、メール着信や時刻アラーム等のイベントが発生しても、着信音が聞こえ難かったり、バイブレータの振動が身体に伝わらない等の理由によって、ユーザが気付かないおそれがあった。
【０００５】
従来の携帯電話機は、身体から距離の離れた場所に携帯電話機が保管されている場合であっても、ユーザが装用している腕時計形態の携帯電話機補助装置に、音声着信やメール着信のイベントが発生したことを通知するようにしている（例えば、特許文献１参照）。
【特許文献１】特開２００２−３３５５６７号公報
【発明の開示】
【発明が解決しようとする課題】
【０００６】
しかしながら、上記方法では、通知対象を腕時計形態の携帯電話機補助装置に限定しているため、ユーザが携帯電話機補助装置を装用していない場合には、イベントが発生したことに気付かないおそれがあった。
【０００７】
また、携帯電話機補助装置を装用している場合であっても、ユーザが音楽プレイヤ等を視聴していたり、カーナビゲーションやテレビ等を閲覧しているときは、携帯電話機補助装置に対する注意力が低下していることが往々にしてあり、イベントが発生したことに気付かないおそれがあった。
本発明は、従来の問題を解決するためになされたもので、通信端末装置の周辺に存在する複数の外部装置のうち、適切な外部装置を通知対象として選定し、イベントが発生したことをユーザに通知することのできる通信端末装置、外部装置、通信システム及び情報通知方法を提供することを目的とする。
【課題を解決するための手段】
【０００８】
本発明の通信端末装置は、外部装置と無線通信可能な通信端末装置であって、所定のイベントが発生すると、前記イベントの種別を解析するイベント解析手段と、予め設定された複数の外部装置の電源状態を取得する外部装置用通信手段と、前記電源状態を管理する外部装置管理手段と、前記イベントの種別と、前記電源状態とに基づいて、前記複数の外部装置の中から、前記イベントの通知を行う外部装置を選定するイベント通知制御手段と、を有し、前記外部装置用通信手段が、前記イベント通知制御手段にて選定した前記外部装置に対して、前記イベントを送信する構成を有する。
【０００９】
この構成により、複数の外部装置の中から、適切な外部装置を通知対象として選定し、イベントが発生したことをユーザに通知することができる。
【００１０】
また、本発明の通信端末装置は、前記イベント通知制御手段が、前記複数の前記外部装置の中から、前記電源状態がオンである外部装置を選定する構成を有する。
【００１１】
この構成により、複数の外部装置の中から、使用中である外部装置を選定するため、イベントが発生したことをユーザに認識させる可能性を高めることができる。
【００１２】
また、本発明の通信端末装置は、前記イベントが発生したことを通知する出力手段を有し、前記イベント通知制御手段が、前記外部装置で前記イベントの通知を行わない場合、前記出力手段にて前記イベントを通知する構成を有する。
【００１３】
この構成により、複数の外部装置でイベントの通知が行えない場合、通信端末装置において、既存のイベント発生時と同様に通知を行うことができる。
【００１４】
また、本発明の外部装置は、通信端末装置と無線通信可能な外部装置であって、前記通信端末装置からイベントを受信する通信端末装置用通信手段と、自装置の動作状態を管理する状態管理手段と、前記イベントの種別と、前記動作状態とに基づいて、通知種別を選定する出力制御手段と、前記出力制御手段にて選定した通知種別に従い、前記イベントを通知する出力手段と、を備えた構成を有する。
【００１５】
この構成により、イベントの種別と、外部装置の動作状態とから適切な通知種別を選定し、通信端末装置でイベントが発生したことを的確にユーザへ通知することができる。
【００１６】
また、本発明の外部装置は、前記通知種別が、表示、鳴動、又は振動のいずれかを含み、前記出力制御手段が、前記通知種別のいずれかを選定する構成を有する。
【００１７】
この構成により、イベントの種別と、外部装置の動作状態とから適切な通知種別を選定し、通信端末装置でイベントが発生したことを的確にユーザへ通知することができる。
【００１８】
また、本発明の外部装置は、前記出力制御手段が、前記イベントの種別と、前記動作状態とに基づき、前記出力手段で前記イベントを通知するか否かの判定を行い、前記通信端末装置用通信手段が、前記出力制御手段にて通知しないとの判定がなされたとき、その旨を前記通信端末装置に通知する構成を有する。
【００１９】
この構成により、外部装置でイベントの通知が行えない場合であっても、通信端末装置において、既存のイベント発生時と同様に通知を行うことができる。
【００２０】
また、本発明の通信システムは、通信端末装置と外部装置とを組み合わせて用いる通信システムであって、前記通信端末装置が、所定のイベントが発生すると、前記イベントの種別を解析するイベント解析手段と、予め設定された複数の外部装置の電源状態を取得する外部装置用通信手段と、前記電源状態を管理する外部装置管理手段と、前記イベントの種別と、前記電源状態とに基づいて、前記複数の外部装置の中から、前記イベントの通知を行う外部装置を選定するイベント通知制御手段と、を有し、前記外部装置が、前記通信端末装置から前記イベントを受信する通信端末装置用通信手段と、自装置の動作状態を管理する状態管理手段と、前記イベントの種別と、前記動作状態とに基づいて、通知種別を選定する出力制御手段と、前記出力制御手段にて選定した通知種別に従い、前記イベントを通知する出力手段と、を備えた構成を有する。
【００２１】
この構成により、通信端末装置の周辺に存在する複数の外部装置の中から、適切な外部装置を通知対象として選定し、通信端末装置においてイベントが発生したことを的確にユーザに通知することができる。
【００２２】
また、本発明の情報通知方法は、所定のイベントが発生すると、前記イベントの種別を解析するイベント解析ステップと、予め設定された複数の外部装置の電源状態を取得する電源状態取得ステップと、前記イベントの種別と、前記電源状態とに基づいて、前記複数の外部装置の中から、前記イベントの通知を行う外部装置を選定する外部装置選定ステップと、選定した外部装置に対して、前記イベントを送信するイベント送信ステップとを有する。
【００２３】
この方法により、通信端末装置の周辺に存在する複数の外部装置の中から、適切な外部装置を通知対象として選定し、イベントが発生したことをユーザに通知することができる。
【発明の効果】
【００２４】
本発明は、通信端末装置の周辺に存在する複数の外部装置のうち、適切な外部装置を通知対象として選定し、イベントが発生したことをユーザに通知することのできる通信端末装置、外部装置、通信システム及び情報通知方法を提供することができるものである。
【発明を実施するための最良の形態】
【００２５】
以下、本発明の実施の形態について、図面を用いて説明する。
【００２６】
（実施の形態１）
図２は、本発明の実施の形態１における通信システムの概略構成を示す図である。
【００２７】
通信システム１は、通信端末装置である携帯電話機１０と、外部装置である携帯ゲーム機２０、音楽プレイヤ３０、カーナビゲーション４０、テレビ５０及び腕時計６０とから構成されている。
【００２８】
携帯電話機１０は、無線通信等によって音声着信又はメール着信等の外部イベントが発生したことや、目覚ましアラーム又はスケジュールアラーム等の内部イベントが発生したことを周辺に存在する携帯ゲーム機２０、音楽プレイヤ３０、カーナビゲーション４０、テレビ５０又は時計６０の中から、適切な通知対象を選定して通知することができる。
【００２９】
図１は、本発明の実施の形態１における通信システム１の詳細構成を示す図である。なお、ここでは例として、複数の外部装置のうち、携帯ゲーム機２０に着目して説明する。
【００３０】
携帯電話機１０は、無線通信手段１１、スケジュール管理手段１２、イベント受付手段１３、イベント解析手段１４、イベント通知制御手段１５、外部装置管理手段１６、外部装置用通信手段１７及び出力手段１８から構成されている。
【００３１】
無線通信手段１１は、ビルの屋上や電波塔等として複数設置されている基地局（図示せず）と無線通信を行い、音声や文字等の各種データの送受信を行う。無線通信手段１１は、音声着信、メール着信又は緊急通報着信等を検出すると、そのデータ内容（例えば、音声着信における発信元情報や、メール着信における送信元情報や本文情報、緊急通報着信における災害情報等）と、イベント種別（例えば、音声着信を１、メール着信を２、緊急通報着信を３とする）とを含むイベント信号をイベント受付手段１３に送出する。
【００３２】
スケジュール管理手段１２は、目覚ましアラーム、スケジュールアラーム等の設定日時を管理しており、タイマー等の計時手段（図示せず）を用いて、設定日時に到達したか否かを監視している。スケジュール管理手段１２は、計時手段の日時が、設定日時に到達が経過したことを検出すると、そのデータ内容（例えば、スケジュールアラームにおける文字列情報等）と、イベント種別（例えば、目覚ましアラームを４、スケジュールアラームを５とする）とを含むイベント信号をイベント受付手段１３に送出する。
【００３３】
なお、ここでは、音声着信、メール着信、緊急通報着信、目覚ましアラーム及びスケジュールアラームを検出したときのみ、イベント受付手段１３に対して、イベント信号を送出することを説明したが、これに限定されるものではなく、携帯電話機１０において、ユーザに通知するその他のイベント（例えば、電源手段における低電圧等）を検出した場合にも、イベント受付手段１３に対して、イベント信号を送出するようにしてもよい。
【００３４】
イベント受付手段１３は、イベント信号の一括した受付先であり、無線通信手段１１又はスケジュール管理手段１２から受信したイベント信号をイベント解析手段１４に対して送出する。
【００３５】
イベント解析手段１４は、イベント受付手段１３から受信したイベント信号を解析して、イベント種別と、データ内容とを抽出する。そして、イベント種別及びデータ内容を制御要求信号としてイベント通知制御手段１５に対して送出する。
【００３６】
イベント通知制御手段１５は、イベント解析手段１４から制御要求信号を受信すると、外部装置管理手段１６に対して、電源状態取得信号を送出し、外部装置管理手段１６に予め登録されている各外部装置の電源状態を取得することができる。
【００３７】
また、イベント通知制御手段１５は、外部装置管理手段１６から電源状態結果信号を受信すると、その信号に含まれる各外部装置の電源状態と、制御要求信号に含まれるイベント種別とに基づいて、イベントの通知を行う外部装置を選定することができる。
【００３８】
また、イベント通知制御手段１５は、イベントの通知を行う外部装置を選定すると、その外部装置を特定する識別情報、イベント種別及びデータ内容を含むイベント通知要求信号を外部装置用通信手段１７に対して送出する。
【００３９】
また、イベント通知制御手段１５は、外部装置にてイベントの通知を行ったか否かを示すイベント通知応答信号を外部装置用通信手段１７から受信したときに、イベントの通知を行わなかったことを検出すると、既存のイベント発生時と同様に、携帯電話機１０の出力手段１８に対して出力要求を行い、表示、鳴動、又は振動によってユーザにイベント発生を通知することができる。
【００４０】
外部装置管理手段１６は、外部装置の製品分類コードと、外部装置を特定する固有の識別情報と、外部装置の電源状態とを管理している。外部装置管理手段１６は、イベント通知制御手段１５から電源状態取得信号を受信すると、識別情報を含む電源状態取得要求信号を外部装置用通信手段１７に対して送出し、その識別情報が示す外部機器の電源状態を取得することができる。
【００４１】
また、外部装置管理手段１６は、外部装置用通信手段１７から識別情報と電源状態とを含む電源状態取得応答信号を受信すると、その識別情報に対応して管理している電源状態を更新する。
【００４２】
また、外部装置管理手段１６は、外部装置用通信手段１７へ電源状態取得要求信号を送出してから一定時間（例えば、５秒とする）が経過すると、イベント通知制御手段１５に対し、管理している全ての外部装置の製品分類コードと、電源状態とを電源状態結果信号として送出する。
【００４３】
外部装置用通信手段１７は、例えば、無線タグ、赤外線、又はＢｌｕｅｔｏｏｔｈ（登録商標）等の電波を利用することによって外部装置とデータの送受信を行うことができる。
【００４４】
また、外部装置用通信手段１７は、外部装置の識別情報に基づき、その識別情報が示す外部装置の通信端末装置用通信手段に対して、通信要求信号（通信種別：電源状態取得）を送出し、電源状態を取得することができる。
【００４５】
また、外部装置用通信手段１７は、各外部装置の通信端末装置用通信手段から電源状態を含む通信応答信号（通信種別：電源状態取得）を受信すると、外部装置管理手段１６に対して、電源状態取得応答信号を送出する。
【００４６】
また、外部装置用通信手段１７は、イベント通知制御手段１５からイベント通知要求信号を受信すると、その信号に含まれる識別情報に基づき、外部装置の通信端末装置用通信手段に対して、イベント種別内容とデータ内容とを通信要求信号（通信種別：イベント通知）として送出する。
【００４７】
また、外部装置用通信手段１７は、各外部装置の通信端末装置用通信手段からイベントの通知を行ったか否かを示す通信応答信号（通信種別：イベント通知）を受信すると、イベント通知制御手段１５に対して、イベント通知応答信号を送出する。
【００４８】
なお、ここでは、外部装置用通信手段１７が、無線通信手段１１とは別の通信手段として説明しているが、これに限定されるものではなく、外部装置用通信手段１７が無線通信手段１１と同一であってもよい。
【００４９】
出力手段１８は、表示手段１８１、鳴動手段１８２、及び振動手段１８３から構成されている。
【００５０】
表示手段１８１は、文字や画像等を表示するディスプレイ等であり、イベント通知制御手段１５から表示要求信号を受信すると、その表示要求信号に含まれる内容に従って表示を行う。
【００５１】
鳴動手段１８２は、音声や音楽等を鳴動するスピーカ等であり、イベント通知制御手段１５から鳴動要求信号を受信すると、その鳴動要求信号に含まれる内容に従って鳴動を行う。
【００５２】
振動手段１８３は、振動を発生するバイブレータ等であり、イベント通知制御手段１５から振動要求信号を受信すると、その振動要求信号に含まれる内容に従って振動を発生させる。
【００５３】
携帯ゲーム機２０は、通信端末装置用通信手段２１、状態管理手段２２、出力制御手段２３及び出力手段２４から構成されている。
【００５４】
通信端末装置用通信手段２１は、例えば、無線タグ、赤外線、又はＢｌｕｅｔｏｏｔｈ（登録商標）等の電波を利用することによって通信端末装置とデータの送受信を行うことができる。
【００５５】
また、通信端末装置用通信手段２１は、外部装置用通信手段１７から通信要求信号（通信種別：電源状態取得）を受信すると、状態管理手段２２に対して電源状態取得信号を送出し、電源状態を取得した後、外部装置用通信手段１７に通信応答信号（通信種別：電源状態取得）を送出する。
【００５６】
また、通信端末装置用通信手段２１は、外部装置用通信手段１７から通信要求信号（通信種別：イベント通知）を受信すると、出力制御手段２３に対し、イベント種別内容とデータ内容とを含む出力制御要求信号を送出する。
【００５７】
状態管理手段２２は、携帯ゲーム機２０の電源状態及び動作状態を管理情報として有している。電源状態は、電源が「ＯＮ」であるのか、「ＯＦＦ」であるのかを示す情報であり、動作状態は、「スコア更新中」、「ボタン連打中」、「タイトル画面表示中」等を示す情報である。ここで、管理情報は、各状態が変化されたときに、逐一、更新されるものとする。
【００５８】
また、状態管理手段２２は、通信端末装置用通信手段２１から電源状態取得信号を受信すると、管理情報のうち、電源状態を電源状態結果信号として通信端末装置用通信手段２１に送出する。
【００５９】
また、状態管理手段２２は、出力制御手段２３から動作状態取得信号を受信すると、管理情報のうち、動作状態を動作状態結果信号として出力制御手段２３に送出する。
【００６０】
出力制御手段２３は、通信端末装置用通信手段２１からイベント種別内容とデータ内容とを含む出力制御信号を受信すると、状態管理手段２２に対して動作状態取得信号を送出し、動作状態を取得することができる。
【００６１】
また、出力制御手段２３は、イベント種別内容と、状態管理手段２２から取得した動作状態とに基づいて、表示、鳴動又は振動のいずれかを通知種別として選定し、表示、鳴動、又は振動によってユーザにイベントが発生したことを通知する。そして、通信端末装置用通信手段２１に対して、イベントの通知を行ったことを示す出力制御応答信号を送出する。
【００６２】
一方、出力要求を行わない場合、出力制御手段２３は、通信端末装置用通信手段２１に対して、イベントの通知を行わなかったことを示す出力制御応答信号を送出する。
【００６３】
出力手段２４は、表示手段２４１、鳴動手段２４２、及び振動手段２４３から構成されており、詳細については、前述と同様であるため、ここでは説明を省略する。
【００６４】
図３は、本発明の実施の形態１における携帯電話機１０の外部装置管理手段１６にて管理されている情報を示す図である。
【００６５】
外部装置管理手段１６には、外部装置の製品分類コードと、外部装置を特定する固有の識別情報と、外部装置の電源状態とが１つのレコードとして登録されている。
【００６６】
この例では、レコードＲ３１〜Ｒ３５に示す、携帯ゲーム機２０、音楽プレイヤ３０、カーナビゲーション４０、テレビ５０及び腕時計６０の製品分類コードと、識別情報と、電源状態とが登録されているものとする。
【００６７】
図４は、本発明の実施の形態１における携帯電話機１０のイベント通知制御手段１５が、イベント通知を行う外部装置を選定するときに用いるテーブルを示す図である。
【００６８】
このテーブルでは、イベント種別毎に、外部装置の通知優先順位を定めており、「１」が最も優先順位が高く、「５」が最も優先順位が低いことを示している。
【００６９】
図４に示すレコードＲ４１は、イベント種別が「音声着信」である場合の、各外部装置の通知優先順位を定めている。
【００７０】
この例では、カーナビゲーション４０が最も優先順位が高く、腕時計６０が最も優先順位が低いものとして設定されている。従って、イベント通知制御手段１５は、各外部装置の電源状態が「ＯＮ」であった場合、イベント通知を行う外部装置としてカーナビゲーション４０を選定する。ただし、優先順位の高い外部装置の電源状態が「ＯＦＦ」である場合、イベント通知制御手段１５は、イベント通知を行う外部装置として、次に優先順位が高く、電源状態が「ＯＮ」である外部装置を選定する。例えば、レコードＲ４１において、カーナビゲーション４０及び音楽プレイヤ３０の電源状態が「ＯＦＦ」であり、携帯ゲーム機２０の電源状態が「ＯＮ」である場合、イベント通知制御手段１５は、イベント通知を行う外部装置として、次に優先順位の高い携帯ゲーム機２０を選定する。
【００７１】
レコードＲ４２、Ｒ４４、Ｒ４５は、イベント種別が「メール着信」、「目覚ましアラーム」及び「スケジュールアラーム」である場合の、各外部装置の通知優先順位をそれぞれ示している。イベント通知制御手段１５における外部装置の選定手順については、前述と同様であるため、ここでは重複した説明は省略する。
【００７２】
レコードＲ４３は、イベント種別が「緊急通報着信」である場合の、各外部装置の通知優先順位を示している。この例では、全ての外部装置に対して最も優先順位の高い「１」が設定されているため、イベント通知制御手段１５は、電源状態が「ＯＮ」である全ての外部装置に緊急通報着信が発生したことを通知する。
【００７３】
図５は、本発明の実施の形態１における携帯ゲーム機２０の出力制御手段２３がイベントの通知種別を選定するときに用いるテーブルを示す図である。
【００７４】
このテーブルは、イベント種別と、携帯ゲーム機２０の動作状態とに基づいて、「表示」、「鳴動」、「振動」のうち、いずれの通知種別を用いるかを定めている。ここで、携帯ゲーム機２０の動作状態としては、過去のゲームスコアを更新している「スコア更新中」、制限時間内に特定の操作等を要求されている「制限時間設定中」、ボタン押下を連続して行っている「ボタン連打中」及び上記以外として「タイトル画面表示中」等があるものとする。
【００７５】
図５に示すレコードＲ５１は、イベント種別が「音声着信」である場合の、各動作状態時の通知種別を定めている。
【００７６】
この例では、動作状態が、「スコア更新中」である場合、イベントを通知することによって、ユーザのゲームに対する集中力を妨げてしまうおそれがあるため、出力制御手段２３は、イベントの通知を行わない「非通知」を通知種別として選定する。
【００７７】
また、動作状態が、「制限時間設定中」である場合、出力制御手段２３は、通知種別として「振動」を選定する。
【００７８】
さらに、動作状態が、「ボタン連打中」である場合、出力制御手段２３は、通知種別として「表示」及び「振動」を選定する。
【００７９】
さらに、動作状態が、上記以外である場合（例えば、タイトル画面表示中等）、出力制御手段２３は、通知種別として「表示」、「鳴動」及び「振動」を選定する。
【００８０】
レコードＲ５２、Ｒ５４、Ｒ５５は、イベント種別が「メール着信」、「目覚ましアラーム」及び「スケジュールアラーム」である場合の、各動作状態時の通知種別をそれぞれ示している。出力制御手段２３における通知種別の選定手順については、前述と同様であるため、ここでは重複した説明は省略する。
【００８１】
レコードＲ５３は、イベント種別が「緊急通報着信」である場合の、各動作状態時の通知種別を示している。出力制御手段２３は、動作状態に関係なく、通知種別として常に「表示」、「鳴動」及び「振動」を選定するものとする。
【００８２】
図６及び図７は、本発明の実施の形態１における携帯電話機１０の処理手順を示すフローチャートである。
【００８３】
図６において、イベント受付手段１３は、無線通信手段１１又はスケジュール管理手段１２からイベント信号を受信したときに処理を開始する。イベント受付手段１３は、処理を開始すると、イベント解析手段１４に対して、受信したイベント信号を送出し、イベントの解析を要求する。
【００８４】
イベント解析手段１４は、イベント受付手段１３からイベント信号を受信すると、そのイベント信号からイベント種別と、データ内容とを抽出し、それらを制御要求信号としてイベント通知制御手段１５に送出する（ステップＳ１）。
【００８５】
次に、イベント通知制御手段１５は、外部装置管理手段１６に対して、電源状態取得信号を送出し、外部装置管理手段１６に予め登録されている各外部装置の電源状態を取得するよう要求する（ステップＳ２）。
【００８６】
次に、外部装置管理手段１６は、予め登録されている各外部装置の電源状態を全て「ＯＦＦ」に初期化する。また、予め登録されている識別情報を含む電源状態取得要求信号を外部装置用通信手段１７に対して送出し、計時手段（図示せず）による一定時間（例えば、５秒とする）の計時を開始させる。外部装置用通信手段１７は、識別情報に基づき、各外部装置の通信端末装置用通信手段に対して、通信要求信号（通信種別：電源状態取得）を送出し（ステップＳ３）、通信応答信号（通信種別：電源状態取得）を受信したか否かを判定する（ステップＳ４）。
【００８７】
外部装置から通信応答信号（通信種別：電源状態取得）を受信した場合（ステップＳ４、Ｙｅｓ）、外部装置用通信手段１７は、外部装置管理手段１６に対して、識別情報と、電源状態とを含む電源状態取得応答信号を送出する。そして、外部装置管理手段１６は、その識別情報に対応して管理している電源状態を更新し（ステップＳ５）、全ての外部装置から通信応答信号を受信したか否かを判定する（ステップＳ６）。
【００８８】
一方、外部装置から通信応答信号（通信種別：電源状態取得）を受信していない場合（ステップＳ４、Ｎｏ）、外部装置用通信手段１７は、計時手段にて一定時間が経過したか否かを判定する（ステップＳ７）。
【００８９】
また、全ての外部装置から通信応答信号を受信していない場合（ステップＳ６、Ｎｏ）も同様に、外部装置用通信手段１７は、計時手段にて一定時間が経過したか否かを判定する（ステップＳ７）。
【００９０】
計時手段にて一定時間が経過していないとき（ステップＳ７、Ｎｏ）、外部装置用通信手段１７は、再度、通信応答信号（通信種別：電源状態取得）を受信したか否かを判定する（ステップＳ４）。
【００９１】
次に、全ての外部装置から通信応答信号を受信した場合（ステップＳ６、Ｙｅｓ）、又は、計時手段にて一定時間が経過した場合（ステップＳ７、Ｙｅｓ）、外部装置管理手段１６は、イベント通知制御手段１５に対し、外部装置の製品分類コードと、電源状態とを電源状態結果信号として送出する。また、計時手段による一定時間の計時を停止する。そして、イベント通知制御手段１５は、電源状態が「ＯＮ」である外部装置が１つ以上あるか否かを判定する（ステップＳ８）。
【００９２】
電源状態が「ＯＮ」である外部装置が１つ以上ある場合（ステップＳ８、Ｙｅｓ）、イベント通知制御手段１５は、イベント種別、製品分類コード及び電源状態に基づいて、イベント通知を行う外部装置を選定する（ステップＳ９）。
【００９３】
一方、電源状態が「ＯＮ」である外部装置が１つもない場合（ステップＳ８、Ｎｏ）、イベント通知制御手段１５は、携帯電話機１０の既存のイベント発生時と同様に、出力手段１８に対して出力要求を行い、表示、鳴動、又は振動によってユーザにイベントが発生したことを通知し（図７、ステップＳ１０）、処理を終了する。
【００９４】
イベント通知制御手段１５は、イベント通知を行う外部装置を選定した後、外部装置管理手段１６から選定した外部装置の識別情報を取得して、その識別情報、イベント種別及びデータ内容を含むイベント通知要求信号を外部装置用通信手段１７に対して送出する。そして、外部装置用通信手段１７は、識別情報に基づき、外部装置の通信端末装置用通信手段に対して、イベント種別内容とデータ内容とを通信要求信号（通信種別：イベント通知）として送出する（ステップＳ１１）。
【００９５】
次に、外部装置用通信手段１７は、通信応答信号（通信種別：イベント通知）を受信したか否かを判定する（ステップＳ１２）。
【００９６】
通信応答信号（通信種別：イベント通知）を受信した場合（ステップＳ１２、Ｙｅｓ）、その信号に含まれるイベント通知結果が「通知」であるか否かを判定する（ステップＳ１３）。
【００９７】
一方、通信応答信号（通信種別：イベント通知）を受信していない場合（ステップＳ１２、Ｎｏ）、再度、通信応答信号を受信したか否かを判定する（ステップＳ１２）。
【００９８】
通信応答信号に含まれるイベント通知結果が「通知」である場合（ステップＳ１３、Ｙｅｓ）、外部装置用通信手段１７は、イベント通知結果が「通知」であることを示すイベント通知応答信号をイベント通知制御手段１５に対して送出する。そして、イベント通知制御手段１５は、その旨のイベント通知応答信号を受信すると処理を終了する。
【００９９】
一方、通信応答信号に含まれるイベント通知結果が「通知」でない場合（ステップＳ１３、Ｎｏ）、外部装置用通信手段１７は、イベント通知結果が「通知」でないことを示すイベント通知応答信号をイベント通知制御手段１５に対して送出する。そして、イベント通知制御手段１５は、携帯電話機１０の既存のイベント発生時と同様に、出力手段１８に対して出力要求を行い、表示、鳴動、又は振動によってユーザにイベントが発生したことを通知して（ステップＳ１０）、処理を終了する。
【０１００】
図８は、本発明の実施の形態１における携帯ゲーム機２０の処理手順を示すフローチャートである。
【０１０１】
図８において、通信端末装置用通信手段２１は、外部装置用通信手段１７から通信要求信号を受信すると処理を開始する。
【０１０２】
通信端末装置用通信手段２１は、処理を開始すると、受信した通信要求信号の通信種別が「電源状態取得」であるか否かを判定する（ステップＳ２０）。
【０１０３】
通信種別が「電源状態取得」である場合（ステップＳ２０、Ｙｅｓ）、通信端末装置用通信手段２１は、状態管理手段２２に対して電源状態取得信号を送出し、電源状態を取得する（ステップＳ２１）。
【０１０４】
そして、通信端末装置用通信手段２１は、電源状態を取得すると、外部装置用通信手段１７に通信応答信号（通信種別：電源状態取得）を送出し（ステップＳ２２）、処理を終了する。
【０１０５】
通信種別が「電源状態取得」でない場合（ステップＳ２０、Ｎｏ）、通信端末装置用通信手段２１は、通信種別が「イベント通知」であるか否かを判定する（ステップＳ２３）。
【０１０６】
通信種別が「イベント通知」である場合（ステップＳ２３、Ｙｅｓ）、通信端末装置用通信手段２１は、出力制御手段２３に対して、イベント種別内容とデータ内容とを含む出力制御信号を送出する。そして、出力制御信号を受信した出力制御手段２３は、状態管理手段２２に対して動作状態取得信号を送出し、動作状態を取得する（ステップＳ２４）。
【０１０７】
次に、出力制御手段２３は、イベント種別内容と、状態管理手段２２から取得した動作状態とに基づき、通知種別として「表示」、「鳴動」、「振動」又は「非通知」のいずれかを選定する（ステップＳ２５）。なお、出力制御手段２３は、通知種別として、「表示」、「鳴動」、「振動」のうちのいずれかを単独で選定することもあるが、それらを組み合わせて選定することもある。
【０１０８】
次に、出力制御手段２３は、選定した通知種別が「非通知」であるか否かを判定する（ステップＳ２６）。
【０１０９】
通知種別が「非通知」である場合（ステップＳ２６、Ｙｅｓ）、出力制御手段２３は、通信端末装置用通信手段２１に対して、イベント通知結果が「非通知」であることを示す出力制御応答信号を送出する。そして、通信端末装置用通信手段２１は、イベント通知結果が「非通知」であることを示す通信応答信号（通信種別：イベント通知）を外部装置用通信手段１７に対して送出し（ステップＳ２８）、処理を終了する。
【０１１０】
一方、通知種別が「非通知」でない場合（ステップＳ２６、Ｎｏ）、選定された通知種別に基づき、出力手段２４に対して出力要求を行い、表示、鳴動、又は振動によってユーザにイベントが発生したことを通知する（ステップＳ２７）。また、出力制御手段２３は、通信端末装置用通信手段２１に対して、イベント通知結果が「通知」であることを示す出力制御応答信号を送出する。そして、通信端末装置用通信手段２１は、イベント通知結果が「通知」であることを示す通信応答信号（通信種別：イベント通知）を外部装置用通信手段１７に対して送出し（ステップＳ２８）、処理を終了する。
【０１１１】
ここで、本発明の実施の形態１における携帯電話機１０の周辺に電源が「ＯＮ」である携帯ゲーム機２０及び腕時計６０があり、携帯電話機１０の無線通信手段１１から、音声着信のイベントを受け付けた場合を例として、図６、図７及び図８に示すフローチャートを用いて、処理手順を説明する。
【０１１２】
図６において、まず、イベント受付手段１３は、無線通信手段１１からイベント信号を受信したときに処理を開始し、イベント解析手段１４に対して、受信したイベント信号を送出する。
【０１１３】
イベント解析手段１４は、イベント受付手段１３からイベント信号を受信すると、そのイベント信号からイベント種別である「１（音声着信）」と、データ内容である発信元情報とを抽出し、それらを制御要求信号としてイベント通知制御手段１５に送出する（ステップＳ１）。
【０１１４】
次に、イベント通知制御手段１５は、外部装置管理手段１６に対して、電源状態取得信号を送出し、外部装置管理手段１６に予め登録されている携帯ゲーム機２０、音楽プレイヤ３０、カーナビゲーション４０、テレビ５０及び腕時計６０の電源状態を取得するよう要求する（ステップＳ２）。
【０１１５】
次に、外部装置管理手段１６は、各外部装置の電源状態を全て「ＯＦＦ」に初期化する。また、外部装置管理手段１６は、外部装置用通信手段１７に対して、予め登録されている各外部装置の識別情報を含む電源状態取得要求信号を送出し、計時手段（図示せず）にて一定時間（例えば、５秒とする）の計時を開始させる。
【０１１６】
外部装置用通信手段１７は、識別情報に基づき、各外部装置の通信端末装置用通信手段に対して、通信要求信号（通信種別：電源状態取得）を送出し（ステップＳ３）、通信応答信号（通信種別：電源状態取得）を受信したか否かを判定する（ステップＳ４）。
【０１１７】
ここで、携帯ゲーム機２０の通信端末装置用通信手段２１は、通信要求信号を受信すると処理を開始する。
【０１１８】
次に、通信要求信号の通信種別が「電源状態取得」であるため（図８、ステップＳ２０、Ｙｅｓ）、通信端末装置用通信手段２１は、状態管理手段２２に対して電源状態取得信号を送出し、電源状態を取得する（ステップＳ２１）。
【０１１９】
そして、通信端末装置用通信手段２１は、電源状態が「ＯＮ」であることを取得すると、外部装置用通信手段１７に通信応答信号（通信種別：電源状態取得）を送出し（ステップＳ２２）、処理を終了する。
【０１２０】
携帯ゲーム機２０から通信応答信号（通信種別：電源状態取得）を受信した場合（図６、ステップＳ４、Ｙｅｓ）、外部装置用通信手段１７は、外部装置管理手段１６に対して、識別情報「１１１１１１１１」と、電源状態「ＯＮ」とを含む電源状態取得応答信号を送出する。そして、外部装置管理手段１６は、その識別情報に対応して管理している電源状態を「ＯＮ」に更新する。
【０１２１】
また、腕時計６０から通信応答信号（通信種別：電源状態取得）を受信した場合（ステップＳ４、Ｙｅｓ）、上記と同様に外部装置管理手段１６は、管理している電源状態を「ＯＮ」に更新する。
【０１２２】
次に、外部装置用通信手段１７は、全ての外部装置から通信応答信号を受信したか否かを判定し（ステップＳ６）、音楽プレイヤ３０、カーナビゲーション４０及びテレビ５０からの通信応答信号を受信していないため（ステップＳ６、Ｎｏ）、計時手段にて一定時間が経過したか否かを判定する（ステップＳ７）。
【０１２３】
ここで、音楽プレイヤ３０、カーナビゲーション４０及びテレビ５０は携帯電話機１０の周辺に存在しないものとして通信応答信号を受信せずに、計時手段にて一定時間が経過したとすると（ステップＳ７、Ｙｅｓ）、外部装置管理手段１６は、イベント通知制御手段１５に対し、外部装置の製品分類コードと、各外部装置の電源状態とを電源状態結果信号として送出する。また、計時手段による一定時間の計時を停止する。そして、イベント通知制御手段１５は、電源状態が「ＯＮ」である外部装置が１つ以上あるか否かを判定する（ステップＳ８）。
【０１２４】
電源状態が「ＯＮ」である外部装置は、携帯ゲーム機２０及び腕時計６０の２つであるため（ステップＳ８、Ｙｅｓ）、イベント通知制御手段１５は、イベント種別「１（音声着信）」、製品分類コード、及び電源状態に基づいて、イベント通知を行う外部装置を選定する（ステップＳ９）。
【０１２５】
具体的な選定手順としては、例えば、イベント通知制御手段１５は、図４に示すテーブルを用いて、イベント種別が「１（音声着信）」のときに、携帯ゲーム機の通知優先順位である「３」と、腕時計の通知優先順位である「５」とを比較し、通知優先順位の高い携帯ゲーム機を選定する。
【０１２６】
イベント通知制御手段１５は、携帯ゲーム機を選定した後、外部装置管理手段１６から選定した外部装置の識別情報「１１１１１１１１」を取得して、その識別情報、イベント種別及びデータ内容を含むイベント通知要求信号を外部装置用通信手段１７に対して送出する。そして、外部装置用通信手段１７は、識別情報に基づき、携帯ゲーム機２０の通信端末装置用通信手段２１に対して、イベント種別内容とデータ内容とを通信要求信号（通信種別：イベント通知）として送出する（図７、ステップＳ１１）。
【０１２７】
ここで、携帯ゲーム機２０の通信端末装置用通信手段２１は、通信要求信号を受信すると処理を開始する。
【０１２８】
次に、通信端末装置用通信手段２１は、通信要求信号の通信種別が「イベント通知」であるため（図８、ステップＳ２３、Ｙｅｓ）、出力制御手段２３に対して、イベント種別内容とデータ内容とを含む出力制御信号を送出する。そして、出力制御信号を受信した出力制御手段２３は、状態管理手段２２に対して動作状態取得信号を送出し、動作状態を取得する（ステップＳ２４）。
【０１２９】
次に、出力制御手段２３は、イベント種別内容と、状態管理手段２２から取得した動作状態とに基づき、通知種別として「表示」、「鳴動」、「振動」又は「非通知」のいずれかを選定する（ステップＳ２５）。
【０１３０】
具体的な選定手順としては、例えば、携帯ゲーム機２０の動作状態が「ボタン連打中」である場合、出力制御手段２３は、図５に示すテーブルを用いて、イベント種別が「１（音声着信）」であり、動作状態が「ボタン連打中」であることに基づき、通知種別として「表示」と「振動」とを選定する。
【０１３１】
出力制御手段２３は、通知種別を選定した後、データ内容に含まれる発信元情報を表示要求信号として表示手段２４１に送出する。また同時に、音声着信が発生したことを知らせる振動パターンを振動要求信号として振動手段２４３に送出し（ステップＳ２７）、ユーザに音声着信が発生したことを通知する。
【０１３２】
そして、出力制御手段２３は、通信端末装置用通信手段２１に対して、イベント通知結果が「通知」であることを示す出力制御応答信号を送出する。そして、通信端末装置用通信手段２１は、イベント通知結果が「通知」であることを示す通信応答信号（通信種別：イベント通知）を外部装置用通信手段１７に対して送出し（ステップＳ２８）、処理を終了する。
【０１３３】
外部装置用通信手段１７は、通信応答信号（通信種別：イベント通知）を受信した場合（図７、ステップＳ１２、Ｙｅｓ）、その信号に含まれるイベント通知結果が「通知」であるか否かを判定する（ステップＳ１３）。
【０１３４】
ここでは、通信応答信号に含まれるイベント通知結果が「通知」であるため（ステップＳ１３、Ｙｅｓ）、外部装置用通信手段１７は、イベント通知結果が「通知」であることを示すイベント通知応答信号をイベント通知制御手段１５に対して送出する。そして、イベント通知制御手段１５は、イベント通知結果が「通知」であることを示すイベント通知応答信号を受信すると処理を終了する。
【０１３５】
図９（ａ）〜（ｄ）は、本発明の実施の形態１において、携帯ゲーム機２０の表示手段に表示されるイベント通知時の画面例である。
【０１３６】
図９（ａ）は、音声着信が発生したことを示すアイコンｉと、音声着信の発信元情報とを画面領域下部にスクロール形式にて表示して、ユーザに通知している。これにより、メール着信における題名や本文、スケジュールアラームにおける件名等といった文字列を多数表示する場合であっても、ユーザに通知することができる。なお、表示位置は、画面領域下部だけに限定されず、画面領域の上下左右のいずれの位置であってもよい。なお、また、文字列のスクロール方向ｓｃｒも左方向だけに限定されず、上下左右のいずれの方向であってもよい。
【０１３７】
図９（ｂ）は、音声着信が発生したことを示すアイコンｉと、音声着信の発信元情報とを画面領域左下部に固定表示して、ユーザに通知している。なお、表示位置は、画面領域左下部だけに限定されず、固定して情報が表示されていれば、いずれの位置であってもよい。
【０１３８】
図９（ｃ）は、音声着信が発生したことを示す文字と、音声着信の発信元情報とをポップアップ形式にて表示して、ユーザに通知している。
【０１３９】
図９（ｄ）は、音声着信が発生したことをアイコンｉにて表示して、ユーザに通知している。なお、ここでは音声着信が発生したことを示すアイコンｉのみ表示しているが、携帯電話機１０の電話帳に登録されている発信者の画像データを携帯ゲーム機２０に送出し、アイコンｉと共に表示するようにしてもよい。
【０１４０】
以上のように本発明の実施の形態１の携帯電話機１０によれば、イベント発生時に周辺に存在する複数の外部装置の電源状態を取得し、イベント種別と、各外部装置の電源状態とに基づいて、適切な外部装置をイベント通知対象として選定することで、イベントが発生したことをユーザに通知することができる。
【０１４１】
（実施の形態２）
本発明の実施の形態２は、外部装置が音楽プレイヤ３０である場合を例として説明する。なお、外部装置の構成は携帯ゲーム機２０と同様であるものとして、重複した説明は省略する。
【０１４２】
図１０は、本発明の実施の形態２における音楽プレイヤ３０の出力制御手段がイベントの通知種別を選定するときに用いるテーブルを示す図である。
【０１４３】
このテーブルは、イベント種別と、音楽プレイヤ３０の動作状態とに基づいて、「表示」、「鳴動」、「振動」のうち、いずれの通知種別を用いてユーザにイベントが発生したことを通知するかを定めている。ここで、音楽プレイヤ３０の動作状態としては、音楽を再生している「再生中」、プレイリスト等を閲覧して楽曲を選択している「選曲中」等があるものとする。
【０１４４】
図１０に示すレコードＲ１０１は、イベント種別が「音声着信」である場合の、各動作状態時の通知種別を定めている。
【０１４５】
この例では、動作状態が、「再生中」である場合、出力制御手段は、通知種別として「鳴動」を選定する。これにより、例えば、ヘッドフォン等を装着して音楽を聴いているユーザでも、音声着信が発生したことを知ることができる。
【０１４６】
また、動作状態が、「選曲中」である場合、出力制御手段は、通知種別として「表示」及び「振動」を選定する。これにより、例えば、画面を閲覧しながら楽曲を選択しているユーザに対して、音声着信が発生したことを効果的に通知することができる。
【０１４７】
さらに、動作状態が、上記以外である場合、出力制御手段は、通知種別として「表示」、「鳴動」及び「振動」を選定する。
【０１４８】
レコードＲ１０２、Ｒ１０４、Ｒ１０５は、イベント種別が「メール着信」、「目覚ましアラーム」及び「スケジュールアラーム」である場合の、各動作状態時の通知種別をそれぞれ示している。出力制御手段における通知種別の選定手順については、前述と同様であるため、ここでは重複した説明は省略する。
【０１４９】
レコードＲ１０３は、イベント種別が「緊急通報着信」である場合の、各動作状態時の通知種別を示している。出力制御手段は、動作状態に関係なく、通知種別として常に「表示」、「鳴動」及び「振動」を選定するものとする。
【０１５０】
図１１（ａ）〜（ｄ）は、本発明の実施の形態２において、音楽プレイヤ３０の表示手段に表示されるイベント通知時の画面例である。
【０１５１】
図１１（ａ）は、音声着信が発生したことを示すアイコンｉと、音声着信の発信元情報とを画面領域下部にスクロール形式にて表示して、ユーザに通知している。これにより、メール着信における題名や本文、スケジュールアラームにおける件名等といった文字列を多数表示する場合であっても、ユーザに通知することができる。なお、表示位置は、画面領域下部だけに限定されず、画面領域の上下左右のいずれの位置であってもよい。なお、また、文字列のスクロール方向ｓｃｒも左方向だけに限定されず、上下左右のいずれの方向であってもよい。
【０１５２】
図１１（ｂ）は、音声着信が発生したことを示すアイコンｉと、音声着信の発信元情報とを画面領域左下部に固定表示して、ユーザに通知している。なお、表示位置は、画面領域左下部だけに限定されず、固定して情報が表示されていれば、いずれの位置であってもよい。
【０１５３】
図１１（ｃ）は、音声着信が発生したことを示す文字と、音声着信の発信元情報とをポップアップ形式にて表示して、ユーザに通知している。
【０１５４】
図１１（ｄ）は、音声着信が発生したことをアイコンｉにて表示して、ユーザに通知している。なお、ここでは音声着信が発生したことを示すアイコンｉのみ表示しているが、携帯電話機１０の電話帳に登録されている発信者の画像データを音楽プレイヤ３０に送出し、アイコンｉと共に表示するようにしてもよい。
【０１５５】
以上のように本発明の実施の形態２の音楽プレイヤ３０によれば、出力制御手段がイベント種別と、自装置の動作状態とに基づいて、適切な通知種別を選定することで、イベントが発生したことをユーザに対して通知することができる。
【０１５６】
（実施の形態３）
本発明の実施の形態３は、外部装置がカーナビゲーション４０である場合を例として説明する。なお、外部装置の構成は携帯ゲーム機２０と同様であるものとして、重複した説明は省略する。
【０１５７】
図１２は、本発明の実施の形態３におけるカーナビゲーション４０の出力制御手段がイベントの通知種別を選定するときに用いるテーブルを示す図である。
【０１５８】
このテーブルは、イベント種別と、カーナビゲーション４０の動作状態とに基づいて、「表示」、「鳴動」のうち、いずれの通知種別を用いてユーザにイベントが発生したことを通知するかを定めている。ここで、カーナビゲーション４０の動作状態としては、高速道路の移動を検出している「高速道路移動中」、一般道路の移動を検出している「一般道路移動中」及び上記以外として「サイドブレーキ作動中」等があるものとする。
【０１５９】
図１２に示すレコードＲ１２１は、イベント種別が「音声着信」である場合の、各動作状態時の通知種別を定めている。
【０１６０】
この例では、動作状態が、「高速道路移動中」である場合、出力制御手段は、通知種別として音声による「鳴動」を選定する。これにより、例えば、ユーザが高速道路を運転中であった場合でも、音声着信が発生したことや、発信元情報等について、運転動作を妨げることなく知ることができる。
【０１６１】
また、動作状態が、「一般道路移動中」である場合、出力制御手段は、上記「高速道路移動中」と同様に、音声による「鳴動」を選定する。
【０１６２】
さらに、動作状態が、上記以外（例えば、サイドブレーキ作動中）である場合、出力制御手段は、通知種別として「表示」及び音声による「鳴動」を選定する。
【０１６３】
レコードＲ１２２、Ｒ１２４、Ｒ１２５は、イベント種別が「メール着信」、「目覚ましアラーム」及び「スケジュールアラーム」である場合の、各動作状態時の通知種別をそれぞれ示している。出力制御手段における通知種別の選定手順については、前述と同様であるため、ここでは重複した説明は省略する。
【０１６４】
レコードＲ１２３は、イベント種別が「緊急通報着信」である場合の、各動作状態時の通知種別を示している。出力制御手段２３は、動作状態に関係なく、通知種別として常に「表示」及び音声による「鳴動」を選定するものとする。
【０１６５】
図１３（ａ）〜（ｄ）は、本発明の実施の形態３において、カーナビゲーション４０の表示手段に表示されるイベント通知時の画面例である。
【０１６６】
図１３（ａ）は、音声着信が発生したことを示すアイコンｉと、音声着信の発信元情報とを画面領域下部にスクロール形式にて表示して、ユーザに通知している。これにより、メール着信における題名や本文、スケジュールアラームにおける件名等といった文字列を多数表示する場合であっても、ユーザに通知することができる。なお、表示位置は、画面領域下部だけに限定されず、画面領域の上下左右のいずれの位置であってもよい。なお、また、文字列のスクロール方向ｓｃｒも左方向だけに限定されず、上下左右のいずれの方向であってもよい。
【０１６７】
図１３（ｂ）は、音声着信が発生したことを示すアイコンｉと、音声着信の発信元情報とを画面領域左下部に固定表示して、ユーザに通知している。なお、表示位置は、画面領域左下部だけに限定されず、固定して情報が表示されていれば、いずれの位置であってもよい。
【０１６８】
図１３（ｃ）は、音声着信が発生したことを示す文字と、音声着信の発信元情報とをポップアップ形式にて表示して、ユーザに通知している。
【０１６９】
図１３（ｄ）は、音声着信が発生したことをアイコンｉにて表示して、ユーザに通知している。なお、ここでは音声着信が発生したことを示すアイコンｉのみ表示しているが、携帯電話機１０の電話帳に登録されている発信者の画像データをカーナビゲーション４０に送出し、アイコンｉと共に表示するようにしてもよい。
【０１７０】
以上のように本発明の実施の形態３のカーナビゲーション４０によれば、出力制御手段がイベント種別と、自装置の動作状態とに基づいて、適切な通知種別を選定することで、イベントが発生したことを安全にユーザに対して通知することができる。
【０１７１】
なお、上記各実施の形態では、外部装置にて選定した通知種別が「非通知」であった場合、携帯電話機１０の出力手段１８にて、常にイベント通知を行うように説明したが、これに限定されるものではなく、携帯電話機１０は、次に通知優先順位の高い外部装置を選定し直して、イベント通知を要求するようにしてもよい。
【０１７２】
なお、また、上記各実施の形態では、外部装置にて選定した通知種別が「非通知」であった場合、携帯電話機１０の出力手段１８にて、常にイベント通知を行うように説明したが、これに限定されるものではなく、外部装置は、イベント通知が行える動作状態に更新されたときにイベント通知を行うようにしてもよい。
【０１７３】
なお、また、上記各実施の形態では、電源状態が「ＯＮ」である複数の外部機器の中から、イベント種別に応じて、イベント通知を行う外部機器を選定するよう説明したが、外部機器から電源状態と共に操作日時を受信するようにして、最も直前に操作された日時を持つ外部機器に対してイベント通知を行うようにしてもよい。これにより、ユーザが注意して使用している可能性の高い外部機器を通じて、イベントが発生したことを認識させることができる。
【産業上の利用可能性】
【０１７４】
以上のように、本発明にかかる通信端末装置、外部装置、通信システム及び情報通知方法は、通信端末装置の周辺に存在する複数の外部装置のうち、適切な外部装置を通知対象として選定し、イベントが発生したことをユーザに通知することができるという効果を有し、身体から距離の離れた場所に保管することのある携帯電話機等として有用である。
【図面の簡単な説明】
【０１７５】
【図１】本発明の実施の形態１における通信システム１の詳細構成を示す図
【図２】本発明の実施の形態１における通信システム１の概略構成を示す図
【図３】本発明の実施の形態１における携帯電話機１０に予め登録されている外部装置一覧を示す図
【図４】本発明の実施の形態１における携帯電話機１０がイベントの通知を行う外部装置を選定するときに用いるテーブルを示す図
【図５】本発明の実施の形態１における携帯ゲーム機２０がイベントの通知種別を選定するときに用いるテーブルを示す図
【図６】本発明の実施の形態１における携帯電話機１０の処理手順を示すフローチャート
【図７】本発明の実施の形態１における携帯電話機１０の処理手順を示すフローチャート
【図８】本発明の実施の形態１における携帯ゲーム機２０の処理手順を示すフローチャート
【図９】本発明の実施の形態１において、携帯ゲーム機２０の表示手段に表示されるイベント通知時の画面例を示す図
【図１０】本発明の実施の形態２における音楽プレイヤ３０がイベントの通知種別を選定するときに用いるテーブルを示す図
【図１１】本発明の実施の形態２において、音楽プレイヤ３０の表示手段に表示されるイベント通知時の画面例を示す図
【図１２】本発明の実施の形態３におけるカーナビゲーション４０がイベントの通知種別を選定するときに用いるテーブルを示す図
【図１３】本発明の実施の形態３において、カーナビゲーション４０の表示手段に表示されるイベント通知時の画面例を示す図
【符号の説明】
【０１７６】
１  通信システム
１０  携帯電話機
１１  無線通信手段
１２  スケジュール管理手段
１３  イベント受付手段
１４  イベント解析手段
１５  イベント通知制御手段
１６  外部装置管理手段
１７  外部装置用通信手段
１８  出力手段
２０  携帯ゲーム機
２１  通信端末装置用通信手段
２２  状態管理手段
２３  出力制御手段
２４  出力手段
３０  音楽プレイヤ
４０  カーナビゲーション
５０  テレビ
６０  腕時計
１８１、２４１、３４１、４４１  表示手段
１８２、２４２、３４２、４４２  鳴動手段
１８３、２４３、３４３、４４３  振動手段
Ｒ３１、Ｒ３２、Ｒ３３、Ｒ３４、Ｒ３５  レコード
Ｒ４１、Ｒ４２、Ｒ４３、Ｒ４４、Ｒ４５  レコード
Ｒ５１、Ｒ５２、Ｒ５３、Ｒ５４、Ｒ５５  レコード
Ｒ１０１、Ｒ１０２、Ｒ１０３、Ｒ１０４、Ｒ１０５  レコード
Ｒ１２１、Ｒ１２２、Ｒ１２３、Ｒ１２４、Ｒ１２５  レコード
ｉ  アイコン
ｓｃｒ  スクロール方向
【図１】
2007173920.tif 000003
【図２】
2007173920.tif 000004
【図３】
2007173920.tif 000005
【図４】
2007173920.tif 000006
【図５】
2007173920.tif 000007
【図６】
2007173920.tif 000008
【図７】
2007173920.tif 000009
【図８】
2007173920.tif 000010
【図９】
2007173920.tif 000011
【図１０】
2007173920.tif 000012
【図１１】
2007173920.tif 000013
【図１２】
2007173920.tif 000014
【図１３】
2007173920.tif 000015